(57)【要約】【課題】操作性が良好な原稿読取装置およびファクシミリ装置を提供することを目的としている。【解決手段】複数の自動原稿搬送装置を用いて、直接送信動作と予約送信動作を同時に登録することができるので、ユーザの使い勝手が大幅に改善されるという効果を得る。【選択図】          図２
2004221837.tif 000002
【特許請求の範囲】
【請求項１】
読取線上を移動する原稿画像を読み取り、読取画像データを出力する原稿読取装置において、
載置された原稿を１枚ずつ分離して上記読取線方向へ移動する自動原稿搬送装置を複数備えたことを特徴とする原稿読取装置。
【請求項２】
画情報をやりとりするファクシミリ通信機能を備えたファクシミリ装置において、
読取線上を移動する原稿画像を読み取り、読取画像データを出力する原稿読取装置と、
載置された原稿を１枚ずつ分離して上記原稿読取装置の読取線方向へ移動する複数の自動原稿搬送装置を備え、
上記複数の自動原稿搬送装置には、それぞれ同一の用紙サイズの読取原稿が載置され、おのおのの自動原稿搬送装置に載置された上記読取原稿は、連続して読取動作されて、その画情報が送信されることを特徴とするファクシミリ装置。
【請求項３】
画情報をやりとりするファクシミリ通信機能を備えたファクシミリ装置において、
読取線上を移動する原稿画像を読み取り、読取画像データを出力する原稿読取装置と、
載置された原稿を１枚ずつ分離して上記原稿読取装置の読取線方向へ移動する複数の自動原稿搬送装置を備え、
第１の自動原稿搬送装置に送信原稿が載置されたときに第２の自動原稿搬送装置に載置されている送信原稿の送信動作が行われているとき、当該第１の自動原稿搬送装置に載置された送信原稿についての送信動作をメモリ送信動作に設定するとともに、実行中の送信動作のページ区切りの期間に、上記第１の自動原稿搬送装置に載置されている送信原稿の読取動作を行い、読み取って得た画像データをメモリ蓄積することを特徴とするファクシミリ装置。
【発明の詳細な説明】
【０００１】
【発明の属する技術分野】
本発明は、複数の自動原稿搬送装置を備えた原稿読取装置およびファクシミリ装置に関する。
【０００２】
【従来の技術】
従来、ファクシミリ装置に、原稿画像読取のために設けられている原稿読取装置には、載置された複数枚の原稿を１枚ずつ分離して搬送する自動原稿搬送装置が付設されており、複数枚の送信原稿を効率よく送信できるようにしている。
【０００３】
また、自動原稿搬送装置に載置された送信原稿について、複写動作と送信動作を並列的に行うことで、送信ユーザの手間を軽減できるようにしたものも提案されている（特許文献１参照）。
【０００４】
【特許文献１】
特開平０７−０３０６９４号公報
【０００５】
【発明が解決しようとする課題】
しかしながら、従来装置では、自動原稿搬送装置を使用して送信原稿の読み取り作業を行っている場合には、メモリ送信等の他の作業予約を行うことができないため、操作の手間がかかるという不具合を生じていた。
【０００６】
本発明は、かかる実情に鑑みてなされたものであり、操作性が良好な原稿読取装置およびファクシミリ装置を提供することを目的としている。
【０００７】
【課題を解決するための手段】
本発明は、読取線上を移動する原稿画像を読み取り、読取画像データを出力する原稿読取装置において、載置された原稿を１枚ずつ分離して上記読取線方向へ移動する自動原稿搬送装置を複数備えたものである。
【０００８】
また、画情報をやりとりするファクシミリ通信機能を備えたファクシミリ装置において、読取線上を移動する原稿画像を読み取り、読取画像データを出力する原稿読取装置と、載置された原稿を１枚ずつ分離して上記原稿読取装置の読取線方向へ移動する複数の自動原稿搬送装置を備え、上記複数の自動原稿搬送装置には、それぞれ同一の用紙サイズの読取原稿が載置され、おのおのの自動原稿搬送装置に載置された上記読取原稿は、連続して読取動作されて、その画情報が送信されるようにしたものである。
【０００９】
また、画情報をやりとりするファクシミリ通信機能を備えたファクシミリ装置において、読取線上を移動する原稿画像を読み取り、読取画像データを出力する原稿読取装置と、載置された原稿を１枚ずつ分離して上記原稿読取装置の読取線方向へ移動する複数の自動原稿搬送装置を備え、第１の自動原稿搬送装置に送信原稿が載置されたときに第２の自動原稿搬送装置に載置されている送信原稿の送信動作が行われているとき、当該第１の自動原稿搬送装置に載置された送信原稿についての送信動作をメモリ送信動作に設定するとともに、実行中の送信動作のページ区切りの期間に、上記第１の自動原稿搬送装置に載置されている送信原稿の読取動作を行い、読み取って得た画像データをメモリ蓄積するようにしたものである。
【００１０】
【発明の実施の形態】
以下、添付図面を参照しながら、本発明の実施の形態を詳細に説明する。
【００１１】
図１は、本発明の一実施例にかかるグループ３ファクシミリ装置を示している。
【００１２】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００１３】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、各種の操作キー、および、各種の表示器からなる。
【００１４】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１５】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００１６】
網制御装置１１は、このグループ３ファクシミリ装置をアナログ公衆網ＰＳＴＮに接続するためのものであり、自動発着信機能を備えている。
【００１７】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１２に接続されており、これらの各要素間でのデータのやりとりは、主としてこの内部バス１２を介して行われている。
【００１８】
また、網制御装置１１とグループ３ファクシミリモデム１０との間のデータのやりとりは、直接行なわれている。
【００１９】
図２は、スキャナ５の構成の一例を示している。
【００２０】
同図において、スキャナ５には、２つの自動原稿搬送装置５ａ，５ｂが設けられており、自動原稿搬送装置５ａ，５ｂのいずれか一方が選択され、その選択された自動原稿搬送装置５ａ，５ｂでは、原稿台（図示略）に載置された複数枚の読取原稿が１枚ずつ分離されて、搬送方向へ搬送される。
【００２１】
自動原稿搬送装置５ａ，５ｂにより搬送された読取原稿は、読取部５ｃへ送られ、その原稿面の画像が読み取られ、排紙部５ｄへと排出される。
【００２２】
また、読取部５ｃで読取入力された画像データは、スキャナ５の各部の動作を制御するためのスキャナ制御部５ｅを介して、システム制御部１へ転送される。
【００２３】
また、自動原稿搬送装置５ａ，５ｂにおいて、センサＳ１１，Ｓ２１は、原稿台に載置された読取原稿の先端を検出するものであり、また、センサＳ１２，Ｓ２２は、読取部５ｃへ搬送される原稿の後端部の通過を検出するためのものである。
【００２４】
以上の構成で、自動原稿搬送装置５ａ，５ｂに新たに原稿がセットされたときの処理の一例を図３に示す。
【００２５】
原稿がセットされると（処理１０１）、ユーザに送信宛先を入力させる（処理１０２）。このとき、原稿が新たにセットされた自動原稿搬送装置ではない他方の自動原稿搬送装置に、すでに原稿がセットされているかどうかを調べ（判断１０３）、判断１０３の結果がＮＯになるときには、原稿が新たにセットされた自動原稿搬送装置について、通常の送信動作を行う（処理１０４）。
【００２６】
また、判断１０３の結果がＹＥＳになるときには、予約動作モードへ移行する旨を操作表示部７で表示してユーザへ通知し（処理１０５）、予約動作に必要な情報（宛先以外の適宜な情報、例えば、送信時刻等）を入力させる（処理１０６）。
【００２７】
次いで、判断１０３で調べた他の自動原稿搬送装置についての通常送信動作を（継続して）行い（処理１０７）、この処理１０７の送信動作が終了すると、処理１０６で入力された予約送信動作を行う。
【００２８】
このようにして、本実施例では、２つの自動原稿搬送装置５ａ，５ｂを用いて、直接送信動作と予約送信動作を同時に登録することができるので、ユーザの使い勝手が大幅に改善される。
【００２９】
図４および図５は、自動原稿搬送装置５ａ，５ｂの両方に送信原稿がセットされた場合の処理の一例を示している。この場合、自動原稿搬送装置５ａ，５ｂには、それぞれ異なるサイズの送信原稿がセットされる。例えば、自動原稿搬送装置５ａには、Ａ４サイズの送信原稿がセットされ、自動原稿搬送装置５ｂには、Ｂ４サイズの送信原稿がセットされる。そして、自動原稿搬送装置５ａにセットされたＡ４サイズの送信原稿の送信が行われた後に、自動原稿搬送装置５ｂにセットされたＢ４サイズの送信原稿の送信が行われる。
【００３０】
まず、自動原稿搬送装置５ａ，５ｂの両方に送信原稿がセットされると（処理２０１）、ユーザに送信宛先を入力させ（処理２０２）、処理２０２で入力された送信宛先へ発呼する（処理２０３）。
【００３１】
次いで、相手端末との間で所定のグループ３ファクシミリ伝送前手順を行って、送信機能等を交渉／設定する（処理２０４）。このときに設定する用紙サイズは、自動原稿搬送装置５ａにセットされた送信原稿の用紙サイズである。
【００３２】
そして、自動原稿搬送装置５ａより１枚原稿を搬送させてその画像を読み取り、それによって得た画像データを符号化復号化部８で符号化圧縮し、それによって得た画情報を相手端末へ送信する（処理２０５）。
【００３３】
１ページ分の画情報の送信を終了すると、自動原稿搬送装置５ａに次のページがセットされているかどうかを調べ（判断２０６）、判断２０６の結果がＹＥＳになるときには、メッセージ後信号として、信号ＭＰＳを送出し（処理２０７）、相手端末より応答信号を受信すると（処理２０８）、処理２０５へ戻り、次のページの画情報の送信動作を行う。
【００３４】
また、判断２０６の結果がＮＯになるときには、自動原稿搬送装置５ｂに送信原稿がセットされているかどうかを調べる（判断２０９）。判断２０９の結果がＮＯになる場合には、送信動作を終了するので、メッセージ後信号として信号ＥＯＰを送出し（処理２１０）、相手端末より応答信号を受信すると（処理２１１）、信号ＤＣＮを送出し（処理２１２）、回線を復旧して（処理２１３）、一連の送信動作を終了する。
【００３５】
また、判断２０６の結果がＹＥＳになるときには、メッセージ後信号として信号ＥＯＭを送出し（処理２１５）、相手端末より応答信号を受信すると（処理２１６）、この場合には、フェーズＢへ戻るので、再度、相手端末との間で所定のグループ３ファクシミリ伝送前手順を行って、送信機能等を交渉／設定する（処理２１７）。このときに設定する用紙サイズは、自動原稿搬送装置５ｂにセットされた送信原稿の用紙サイズである。
【００３６】
そして、自動原稿搬送装置５ｂより１枚原稿を搬送させてその画像を読み取り、それによって得た画像データを符号化復号化部８で符号化圧縮し、それによって得た画情報を相手端末へ送信する（処理２１８）。
【００３７】
１ページ分の画情報の送信を終了すると、自動原稿搬送装置５ｂに次のページがセットされているかどうかを調べ（判断２１９）、判断２１９の結果がＹＥＳになるときには、メッセージ後信号として、信号ＭＰＳを送出し（処理２２０）、相手端末より応答信号を受信すると（処理２２１）、処理２１８へ戻り、次のページの画情報の送信動作を行う。
【００３８】
また、判断２１９の結果がＮＯになるときには、処理２１０へ移行し、それ以降の処理を実行して、送信動作を終了する。
【００３９】
このようにして、本実施例では、自動原稿搬送装置５ａ，５ｂを用いて、異なる用紙サイズの送信原稿の画像を連続して送信することができ、非常に便利である。また、自動原稿搬送装置５ａ，５ｂに同じ用紙サイズの送信原稿をセットすることもでき、その場合には、大量の送信原稿の画像を送信することができる。
【００４０】
図６および図７は、自動原稿搬送装置５ａにセットされている送信原稿の画像を送信中に、自動原稿搬送装置５ｂに新たな送信原稿がセットされた場合の処理の一例を示している。この場合、１ページ分の送信画像の読み取りが終了して、次のページの送信画像の読み取りが開始されまでの間の時間を利用して、自動原稿搬送装置５ｂにセットされている送信原稿画像を読み取るようにすることで、自動原稿搬送装置５ｂにセットされている送信原稿にかかるメモリ送信動作に要する時間を短縮できるようにしている。
【００４１】
自動原稿搬送装置５ｂに送信原稿がセットされると（処理３０１）、他方の自動原稿搬送装置５ａにセットされている送信原稿の画像を送信中であるかどうかを調べる（判断３０２）。判断３０２の結果がＮＯになるときには、自動原稿搬送装置５ｂにセットされた送信原稿について、通常の送信動作を行う（処理３０３）。
【００４２】
また、判断３０２の結果がＹＥＳになるときには、ユーザに送信宛先を入力させるガイダンスメッセージを表示して送信宛先を入力させ（処理３０４）、ユーザがスタートキー（図示略）を操作して読取開始を指令するまで待つ（処理３０５）。
【００４３】
読取開始が指令されると、センサＳ１２がオフして、送信中の読取原稿の後端が排出されるまで待ち（判断３０６のＮＯループ）、判断３０６の結果がＹＥＳになると、センサＳ１１がオンしているかどうかを調べる（判断３０７）。
【００４４】
判断３０７の結果がＮＯになるときには、自動原稿搬送装置５ａにセットされた送信原稿についての読取動作が終了したので、自動原稿搬送装置５ｂにセットされた送信原稿についてのメモリ送信読取動作を開始し（処理３０８）、メモリ送信を開始する。
【００４５】
また、判断３０７の結果がＹＥＳになるときには、直接送信動作の画像送信が終了するまで、自動原稿搬送装置５ｂにセットされた送信原稿についてのメモリ送信読取動作を行う（処理３０９、判断３１０のＮＯループ）。
【００４６】
判断３１０の結果がＹＥＳになると、自動原稿搬送装置５ｂにセットされた１ページ分の送信原稿についてのメモリ送信読取動作が終了するまで、信号ＴＮＲを相手端末へ送出して、相手端末の受信動作を待機させる（処理３１１、判断３１２のＮＯループ）。
【００４７】
判断３１２の結果がＹＥＳになるときには、自動原稿搬送装置５ｂにセットされた送信原稿の全ページについてメモリ送信読み取りが終了しているかどうかを調べ（判断３１３）、判断３１３の結果がＹＥＳになるときには、読取終了したメモリ送信動作を待機させ（処理３１４）、現在実行中の直接送信動作が終了するまで待ち（判断３１５のＮＯループ）、判断３１５の結果がＹＥＳになると、待機中のメモリ送信動作を実行させる。
【００４８】
また、判断３１３の結果がＮＯになるときには、メモリ送信動作の読取動作を一時中断し（処理３１６）、自動原稿搬送装置５ａの動作を再開させて、実行中の直接送信動作を再開させ（処理３１７）、判断３０６へ戻る。
【００４９】
このようにして、本実施例では、自動原稿搬送装置５ａにセットされている送信原稿の画像を送信中に、自動原稿搬送装置５ｂに新たな送信原稿がセットされた場合、１ページ分の送信画像の読み取りが終了して、次のページの送信画像の読み取りが開始されまでの間の時間を利用して、自動原稿搬送装置５ｂにセットされている送信原稿画像を読み取るようにすることで、自動原稿搬送装置５ｂにセットされている送信原稿にかかるメモリ送信動作に要する時間を大幅に短縮することができる。
【００５０】
なお、上述した実施例では、本発明をグループ３ファクシミリ装置に適用した場合について説明しているが、他の通信機能を備えたファクシミリ装置についても、本発明を同様にして適用することができる。
【００５１】
また、ファクシミリ装置以外の原稿読取機能を備えた装置（例えば、いわゆる複合機）についても、本発明を同様にして適用することができる。
【００５２】
【発明の効果】
以上説明したように、本発明によれば、複数の自動原稿搬送装置を用いて、直接送信動作と予約送信動作を同時に登録することができるので、ユーザの使い勝手が大幅に改善されるという効果を得る。
【００５３】
また、複数の自動原稿搬送装置を用いて、異なる用紙サイズの送信原稿の画像を連続して送信することができ、非常に便利であるという効果も得る。また、自動原稿搬送装置に同じ用紙サイズの送信原稿をセットすることもでき、その場合には、大量の送信原稿の画像を送信することができるという効果も得る。
【図面の簡単な説明】
【図１】本発明の一実施例にかかるグループ３ファクシミリ装置の構成を示したブロック図。
【図２】スキャナ５の構成の一例を示したブロック図。
【図３】自動原稿搬送装置５ａ，５ｂに新たに原稿がセットされたときの処理の一例を示したフローチャート。
【図４】自動原稿搬送装置５ａ，５ｂの両方に送信原稿がセットされた場合の処理の一例を示したフローチャート。
【図５】自動原稿搬送装置５ａ，５ｂの両方に送信原稿がセットされた場合の処理の一例を示したフローチャート（続き）。
【図６】自動原稿搬送装置５ａにセットされている送信原稿の画像を送信中に、自動原稿搬送装置５ｂに新たな送信原稿がセットされた場合の処理の一例を示したフローチャート。
【図７】自動原稿搬送装置５ａにセットされている送信原稿の画像を送信中に、自動原稿搬送装置５ｂに新たな送信原稿がセットされた場合の処理の一例を示したフローチャート（続き）。
【符号の説明】
１  システム制御部
２  システムメモリ
５ａ，５ｂ  自動原稿搬送装置
【図１】
2004221837.tif 000003
【図２】
2004221837.tif 000004
【図３】
2004221837.tif 000005
【図４】
2004221837.tif 000006
【図５】
2004221837.tif 000007
【図６】
2004221837.tif 000008
【図７】
2004221837.tif 000009